(57)【要約】      （修正有）【課題】使用時にネックレスが強く引っ張られてもネックレスの長さを調整時の長さに保持することができるペンダントトップを有するネックレスを提供する。【解決手段】ネックレス基体ＡとペンダントトップＥと係止具Ｃと止め具Ｄとを備えたネックレスを設ける。止め具Ｄは、一対の透孔５を有する外殻体４と、外殻体４に内装する弾性環体６とを備える。ネックレス基体Ａの他端にスライドピンＢを延設する。スライドピンＢの長さを、止め具本体を貫通できる長さに形成する。弾性環体６に設けた貫通孔を、スライドピンＢが挿通可能となるよう構成する。外殻体４に固定する取付環８の取付け位置を、一対の透孔５から最も離れた外殻体４の外側面に設置する。取付環８の開口部を透孔５の開口部と同じ方向に向けて固定する。【選択図】図４
0003194638.tif 000002
【実用新案登録請求の範囲】
【請求項１】
ネックレス基体と、該ネックレス基体に装着されるペンダントトップと、ネックレス基体の一端部分に装着される係止具と、この係止具とネックレス基体の他端とを連結する止め具とを備え、止め具は、一対の透孔を有する外殻体と、この外殻体に内装される弾性環体とを備え、ネックレス基体の他端にはスライドピンを延設し、このスライドピンは、止め具本体を貫通できるような長さに形成され、弾性環体に設けられた貫通孔を、スライドピンが挿通可能となるように構成したネックレスにおいて、
外殻体に固定して係止具を連結せしめる取付環の固定位置を、一対の透孔から最も離れた外殻体の外側面に設置すると共に、該取付環の開口部を透孔の開口部と同じ方向に向けて固定したことを特徴とするペンダントトップを有するネックレス。
【請求項２】
前記弾性環体は、パイプ形状又はドーナツ形状に形成された請求項１記載のペンダントトップを有するネックレス。
【請求項３】
前記スライドピンは、軸部と、この軸部の先端部分に連設される先行ガイド部と、軸部の基端部分に連設される取付部とからなり、軸部を略細長円柱状に形成し、先行ガイド部を略球形状に形成した請求項１記載のペンダントトップを有するネックレス。
【請求項４】
前記スライドピンの前記軸部を、軸心方向に沿って比較的緩やかな略波形状となるように形成した請求項１記載のペンダントトップを有するネックレス。
【考案の詳細な説明】
【技術分野】
【０００１】
本考案は、ペンダントトップを有するネックレスにおいて、例えば、装身用鎖・チェーン等で構成されているネックレス基体に適宜ペンダントトップを装着する作業や、ペンダントトップを互換装着する作業、あるいは、ネックレス基体の端部を止め具へ装着する作業等が、誰でも容易に行えるようにして、服装や気分等に応じて好みのペンダントトップを、ネックレス基体に手軽に組合せて楽しめるように工夫したペンダントトップを有するネックレスに関するものである。
【背景技術】
【０００２】
従来、ペンダントトップを有するネックレスとして、当出願人は、先に、ネックレス基体と、ペンダントトップと、係止具と、止め具とを備えたネックレスを提案している（特許文献１参照）。
【０００３】
このネックレスにおいて、止め具は、少なくとも一対の透孔を有する外殻体と、外殻体に内装する弾性パイプとを備え、ネックレス基体の他端にスライドピンを延設している。このスライドピンは、止め具本体を貫通する長さに形成され、ペンダントトップのバチ環あるいは取付孔や、止め具の透孔、弾性パイプに設けた貫通孔を、スライドピンが挿通可能になるように構成したものである。
【０００４】
このような特許文献１のネックレスにより、ペンダントトップの装着や組み合わせ、ネックレス基体に対する止め具の装着等が極めて容易に行えるようになっている。
【先行技術文献】
【特許文献】
【０００５】
【特許文献１】実用新案登録第３１１４６３３号公報
【考案の概要】
【考案が解決しようとする課題】
【０００６】
特許文献１のネックレスにおいて、外殻体の内部に装着した弾性パイプでネックレスの長さを調整して使用していると、ネックレスが強く引っ張られたときに位置ずれが生じ、ネックレスの長さが調整時の長さよりも長くなることがあった。
【０００７】
このような現象は、弾性パイプの弾性力にて固定されているチェーンが、外郭体の透孔に沿った方向に強い力が作用したときに生じ易いことが判明した。
【０００８】
そこで本考案は、上述の課題を解消すべく案出されたもので、使用時にネックレスが強く引っ張られてもネックレスの長さを調整時の長さに保持することができるペンダントトップを有するネックレスの提供を目的とするものである。
【課題を解決するための手段】
【０００９】
本考案の第１の手段は、ネックレス基体Ａと、該ネックレス基体Ａに装着されるペンダントトップＥと、ネックレス基体Ａの一端部分に装着される係止具Ｃと、この係止具Ｃとネックレス基体Ａの他端とを連結する止め具Ｄとを備え、止め具Ｄは、一対の透孔５を有する外殻体４と、この外殻体４に内装される弾性環体６とを備え、ネックレス基体Ａの他端にはスライドピンＢを延設し、このスライドピンＢは、止め具本体Ｄ１を貫通できるような長さに形成され、弾性環体６に設けられた貫通孔７を、スライドピンＢが挿通可能となるように構成したネックレスにおいて、外殻体４に固定して係止具Ｃを連結せしめる取付環８の固定位置を、一対の透孔５から最も離れた外殻体４の外側面に設置すると共に、該取付環８の開口部を透孔５の開口部と同じ方向に向けて固定したことにある。
【００１０】
第２の手段において、前記弾性環体６は、パイプ形状又はドーナツ形状に形成されたものである。
【００１１】
第３の手段において、前記スライドピンＢは、軸部１と、この軸部１の先端部分に連設される先行ガイド部２と、軸部１の基端部分に連設される取付部３とからなり、軸部１を略細長円柱状に形成し、先行ガイド部２を略球形状に形成する。
【００１２】
第４の手段は、前記スライドピンＢの軸部１を、軸心方向に沿って比較的緩やかな略波形状となるように形成するものである。
【考案の効果】
【００１３】
請求項１に記載のごとく、外殻体４に固定して係止具Ｃを連結せしめる取付環８の固定位置を、一対の透孔５から最も離れた外殻体４の外側面に設置すると共に、該取付環８の開口部を透孔５の開口部と同じ方向に向けて固定したことにより、使用時にネックレスが強く引っ張られてもネックレスの長さを調整時の長さに保持することができるようになった。
【００１４】
すなわち、使用時のネックレス基体Ａが強く引っ張られると、透孔５を通したネックレス基体Ａは、透孔５方向に引っ張られ、一方、取付環８に連結した側のネックレス基体Ａにより、取付環８を介して外殻体４の側面に引っ張り荷重が加わることになる。そうすると、仮に外殻体４上下の透孔５を通しているネックレス基体Ａに対して外殻体４が水平方向に引っ張られ、上下の透孔５がネックレス基体Ａに横向きに作用してネックレス基体Ａの位置ずれを防止するものである。
【００１５】
しかも、外殻体４の横向きの引っ張り荷重は、引っ張り力が上下の透孔５に対して直交する水平方向に加わるときが最大になる。そこで、取付環８の開口部を透孔５の開口部と同じ方向に向けて固定することにより、外殻体４の引っ張り力を最大限に利用してネックレス基体Ａの位置ずれを防止することができる。
【００１６】
更に、本考案ネックレスによれば、ネックレス基体Ａに適宜ペンダントトップＥを装着する作業や、ペンダントトップＥを互換装着する作業や、ネックレス基体Ａの端部を止め具Ｄへ装着する作業等が、誰でも容易に行えるようになる。ひいては、ユーザーが服装や気分等に応じて好みのペンダントトップＥをネックレス基体Ａに手軽に組合せでき、手持ちのネックレス基体ＡやペンダントトップＥを有効的に活用できて経済的となり、お洒落をより楽しめるようになる。
【００１７】
特に、ペンダントトップＥのバチ環９や取付孔等が小さい場合でも、スライドピンＢを利用して、バチ環９や取付孔等にネックレス基体Ａを通過させることができ、ペンダントトップＥのネックレス基体Ａへの装着（取外し）や、ペンダントトップＥの互換装着等を簡単に行うことができるようになる。
【００１８】
すなわち、メーカーに於いてペンダントトップＥを有するネックレスを製造する時や、ユーザーに於いてペンダントトップＥを互換装着する時に、その作業が誰でも簡単に且つ迅速に行えるようになり、更に、作業をするための工具等も一切不要である。
【００１９】
しかも、構成が簡素で、製造し易く、取扱いが容易で、外観上の体裁が良く、経済的にも優れたペンダントトップを有するネックレスとなる。
【００２０】
また、請求項２のように、弾性環体６をパイプ形状又はドーナツ形状にすることで、この弾性環体６に挿通するネックレス基体Ａの長さ調整がスムーズになり、しかも、調整した位置で確実に保持することができる。
【００２１】
請求項３記載のペンダントトップを有するネックレスによれば、スライドピンＢによって、止め具Ｄへのネックレス基体Ａの装着や、バチ環９への挿通が、熟練を要することなく誰でも簡単に、スムーズに、手軽に、且つ能率良く行えるようになる。
【００２２】
加えて、略球形状の先行ガイド部２によって、スライドピンＢを安全に且つスムーズにガイドできるようになる。すなわち、スライドピンＢの先端部分を、ペンダントトップＥのバチ環９あるいは取付孔や、止め具Ｄの透孔５や、弾性環体６の貫通孔７にスムーズに進入せしめられるようになる。
【００２３】
更に、請求項４記載のペンダントトップを有するネックレスによれば、弾性環体６の貫通孔７と、スライドピンＢの軸部１とに於いて、軸部１が移動する時の抵抗が若干増すようになり、例えば、不意の外力等がネックレス基体Ａに作用したときに、スライドピンＢが止め具Ｄから僅かな力で簡単に抜けてしまうような虞のないものとなる。
【００２４】
しかも、軸心方向に沿って比較的緩やかな略波形状となっているので、アクセントとなって、外観上の体裁も良いものとなる。
【図面の簡単な説明】
【００２５】
【図１】本考案のネックレスを例示する正面図である。
【図２】本考案の外殻体に対する取付環の取付け位置を示す側断面図である。
【図３】本考案の外殻体に対する取付環の取付け位置を示す平面図である。
【図４】本考案のネックレスを例示する一部を省略した一部切欠正面図である。
【図５】本考案の他のネックレスを例示する正面図である。
【考案を実施するための形態】
【００２６】
以下、本考案を図示例に基づいて説明すると、次の通りである。本考案ネックレスは、具体的には、装身用鎖・チェーンや、装身用紐等の如き比較的細くて長尺で綺麗な適宜ネックレス基体Ａと、バチ環９あるいは取付孔等を介してネックレス基体Ａに装着される適宜ペンダントトップＥと、ネックレス基体Ａの一端部分に装着されると共に、連結分離自在な一対の構成部材によって形成されている適宜係止具Ｃと、この係止具Ｃとネックレス基体Ａの他端とを連結する止め具Ｄとを備えたものである（図１参照）。
【００２７】
そして、止め具Ｄは、略中空状の外殻体４と、この外殻体４に内装される弾性環体６とを備え、外殻体４には、対向位置に配される少なくとも一対の透孔５が穿設され、弾性環体６には、その中心部分に貫通孔７が設けられている（図２参照）。すなわち、一対の透孔５は、ネックレス基体Ａをスムーズに挿通できるように形成され、貫通孔７は、ネックレス基体Ａを挿通できると共に、その内周壁面でネックレス基体Ａを弾性的に圧迫して、ネックレス基体Ａを任意の位置で保持できるように形成されている。
【００２８】
そして、外殻体４には、その対向位置に一対の透孔５が穿設され、その外表面に、小リング状の取付環８が溶着手段等によって連設されている。この取付環８は、外殻体４に係止具Ｃを連結せしめる部材であり、取付環８の固定位置を、一対の透孔５から最も離れた外殻体４の外側面に設置する（図２参照）。この位置に取付環８を設けることで、ネックレス基体Ａが強く引っ張られた際に、透孔５に通しているネックレス基体Ａに対して横向きに引っ張り力が伝わることになる。
【００２９】
更に、この取付環８の開口部を透孔５の開口部と同じ方向に向けて外殻体４に固定している（図３参照）。図示の取付環８は、外殻体４の上下を貫通する透孔５に対して横向きに固定している（図２参照）。仮に、この取付環８を縦向きに固定すると、引っ張り力がこの取付環８に沿って上下いずれか一方の透孔５に近づく場合も想定される。このように引っ張り力が、いずれか一方の透孔５に近づくと、外殻体４に対して引っ張り力を真横に作用させることができなくなる。したがって、図示のごとく取付環８の開口部を横向きにして固定すると、常に、外殻体４に対して引っ張り力を真横に作用させることができるので、外殻体４の引っ張り力を最大限に利用してネックレス基体Ａの位置ずれを防止することができるものである。
【００３０】
弾性環体６は、例えば、その貫通孔７が外殻体４の一対の透孔５に臨むように配されている。しかも、弾性環体６の両端面の外周縁部分が外殻体４の内表面に接触した状態で、外殻体４に安定的に内装されている。すなわち、弾性環体６自身の弾性変形が大きく且つ無理なく行えるようになって、ネックレス基体Ａを無理なく圧迫できるように構成されている（図２参照）。
【００３１】
図示の弾性環体６は筒状を成しているが、この弾性環体６の形状は図示例に限られるものではなく、例えばドーナツ形状の弾性環体６を使用することも可能である。すなわち、弾性環体６自身の弾性変形が大きく且つ、ネックレス基体Ａを無理なく圧迫できるように構成されるものであれば良いものである。
【００３２】
更に、ネックレス基体Ａの他端にはスライドピンＢを延設し、このスライドピンＢは、透孔５や貫通孔７に挿通されて、止め具本体Ｄ１を貫通できるような長さに形成され、ペンダントトップＥのバチ環９あるいは取付孔（及び止め具Ｄの透孔５や、弾性環体６に設けられた貫通孔７）を、スライドピンＢが挿通可能となるように構成されている（図４参照）。
【００３３】
しかも、スライドピンＢは、軸部１と、この軸部１の先端部分に連設される先行ガイド部２と、軸部１の基端部分に連設される取付部３とからなり、軸部１を略細長円柱状に形成し（あるいは、軸心方向に沿って比較的緩やかな略波形状に形成し）、先行ガイド部２を略球形状に形成してある。
【００３４】
前記ネックレス基体Ａは、例えば、適宜貴金属製のもの（あるいは、適宜金属材に貴金属メッキを施したもの）や、適宜合成樹脂製のものや、適宜複合材を利用したものや、種々の材質からなるパーツを組合わせたもの等が利用され、しかも、装身用鎖・チェーン状に形成されたものや、装身用紐状に形成されたものや、その他適宜構成のものでも良い。ただし、ペンダントトップＥのバチ環９あるいは取付孔や、止め具Ｄの透孔５や、弾性環体６に設けられた貫通孔７に挿通されることから、比較的細くて凹凸状態が激しくないもの（極端に突出した部分がないこと）が好ましい（図１、図５参照）。
【００３５】
スライドピンＢは、例えば、適宜貴金属製のもの（あるいは、適宜金属材に貴金属メッキを施したもの）や、適宜合成樹脂製のものや、適宜複合材を利用したもの等が利用され、しかも、略細長円柱状の軸部１と、この軸部１の先端部分に一体的に連設される略半球形状の先行ガイド部２と、軸部１の基端部分に一体的に（あるいは、溶着手段等を介して）連設される略長円環状の取付部３とからなっている（図４参照）。
【００３６】
ところで、軸部１は、軸心方向に沿って比較的緩やかな略波形状に形成して、貫通孔７と軸部１との関係に於いて、軸部１が移動（摺動）する時の抵抗が若干増すように構成してあっても良い（図５参照）。
【００３７】
また、先行ガイド部２は、スライドピンＢの先端部分が、ペンダントトップＥのバチ環９あるいはペンダントトップＥに設けた取付孔や、止め具Ｄの透孔５や、弾性環体６の貫通孔７にスムーズに進入できて、しかも、スライドピンＢ先端によって人体を損傷するようなことがないように構成されたものであれば良い。
【００３８】
さらに、取付部３は、ペンダントトップＥのバチ環９あるいはペンダントトップＥに設けた取付孔や、止め具Ｄの透孔５や、弾性環体６の貫通孔７をスムーズに挿通できて、しかも、ネックレス基体Ａの他端部分が簡単に且つ確実に連結できるように構成されたものであれば良い。
【００３９】
係止具Ｃは、例えば、適宜貴金属製のもの（あるいは、適宜金属材に貴金属メッキを施したもの）や、適宜合成樹脂製のものや、適宜複合材を利用したもの等が利用され、しかも、引き輪と、この引き輪に連結分離自在な係止プレートとからなっており、係止プレートがネックレス基体Ａの一端部分に連結され、引き輪が止め具Ｄの取付環８に連結された状態となっている（図２参照）。
【００４０】
止め具Ｄは、例えば、適宜貴金属製のもの（あるいは、適宜金属材に貴金属メッキを施したもの）や、適宜合成樹脂製のものや、適宜複合材を利用したものや、その他の適宜材料によって構成される略中空球形状の外殻体４と、適宜弾性材によって略厚肉円筒状に形成される弾性環体６とで構成されている。
【００４１】
ペンダントトップＥは、例えば、適宜材料を利用して形成することができるものであり、その上部に取付けられる適宜バチ環９や、自身に設けられる適宜取付孔等を介してネックレス基体Ａに互換装着できるように構成されている。
【００４２】
尚、本考案ネックレスの具体的構成は図示例に限られるものではなく、ネックレス基体Ａ、スライドピンＢ、係止具Ｃ、止め具Ｄ、ペンダントトップＥの具体的構成、形状、寸法、材質、数や、軸部１、先行ガイド部２、取付部３、外殻体４、透孔５、弾性環体６、貫通孔７、取付環８の具体的構成、形状、寸法、材質、数、配設位置等は図示例のもの等に限定されることなく適宜自由に設定、変更できるものである。
【符号の説明】
【００４３】
Ａ  ネックレス基体
Ｂ  スライドピン
Ｃ  係止具
Ｄ  止め具
Ｅ  ペンダントトップ
１  軸部
２  先行ガイド部
３  取付部
４  外殻体
５  透孔
６  弾性環体
７  貫通孔
８  取付環
９  バチ環
【図１】
0003194638.tif 000003
【図２】
0003194638.tif 000004
【図３】
0003194638.tif 000005
【図４】
0003194638.tif 000006
【図５】
0003194638.tif 000007